(57)【要約】【課題】  筐体内の許される設置面積内に、より大きな径のスピーカ装置を設置可能として音響出力の音質の向上を図る。【解決手段】  略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に形成される余剰部分に一対の切り欠き部２５を形成し、この各切り欠き部２５に音声信号入力端子２６をそれぞれ設ける。これにより、音声入力端子２６を設ける部分を確保したうえで、スピーカフレーム部２１一杯の大きさの径の音響出力部２２を備えたスピーカ機能部２３を該スピーカフレーム部２１に設けることができる。従って、大きな径の音響出力部２２を備えたスピーカ機能部２３を設けることができることから、高音質の音響出力を得ることを可能とすることができる。【選択図】  図２
2009060434.tif 000002
【特許請求の範囲】
【請求項１】
放音を行う略円形状の音響出力部を備えたスピーカ機能部と、
上記スピーカ機能部の音響出力部の径よりも若干大きめの略矩形状を有し、埋設される上記スピーカ機能部を支持すると共に、一側面部の両端部を、上記略円形状を有する上記音響出力部の外周部に近接する位置から切り落とすかたちで設けられた一対の切り欠き部を備えたスピーカフレーム部と、
上記スピーカフレーム部の各切り欠き部にそれぞれ設けられた一対の音声信号入力端子と
を有するスピーカ装置。
【請求項２】
放音を行う所定形状の音響出力部を備えたスピーカ機能部と、
埋設される上記スピーカ機能部を支持すると共に、一側面部の両端部を、上記スピーカ機能部の上記音響出力部に近接する位置から切り落とすかたちで設けられた一対の切り欠き部を備えたスピーカフレーム部と、
上記スピーカフレーム部の各切り欠き部にそれぞれ設けられた一対の音声信号入力端子と
を備えた第１のスピーカ装置及び第２のスピーカ装置を有し、
上記第１のスピーカ装置の上記音響出力部の放音を行う側の面部に対して反対側の面部となる底面部と、上記第２のスピーカ装置の上記音響出力部の放音を行う側の面部に対して反対側の面部となる底面部とを接続部材を介して相互に接続することで、上記第１のスピーカ装置及び上記第２のスピーカ装置の放音方向が、それぞれ相反する方向となるように、該第１のスピーカ装置及び第２のスピーカ装置を接続して一体的に形成したこと
を特徴とするスピーカ装置。
【請求項３】
請求項２に記載のスピーカ装置であって、
上記第１及び第２のスピーカ装置の各音響出力部は、それぞれ略円形状を有し、
上記第１及び第２のスピーカ装置の各スピーカフレーム部は、それぞれ上記スピーカ機能部の音響出力部の径よりも若干大きめの略矩形状を有し、一側面部の両端部を、上記略円形状を有する上記音響出力部の外周部に近接する位置から切り落とすかたちで上記一対の切り欠き部が設けられていること
を特徴とするスピーカ装置。
【請求項４】
放音を行う所定形状の音響出力部を備えたスピーカ機能部と、埋設される上記スピーカ機能部を支持すると共に、一側面部の両端部を、上記スピーカ機能部の上記音響出力部に近接する位置から切り落とすかたちで設けられた一対の切り欠き部を備えたスピーカフレーム部と、上記スピーカフレーム部の各切り欠き部にそれぞれ設けられた一対の音声信号入力端子とをそれぞれ備えた第１のスピーカ装置及び第２のスピーカ装置を、上記第１のスピーカ装置の上記音響出力部の放音を行う側の面部に対して反対側の面部となる底面部と、上記第２のスピーカ装置の上記音響出力部の放音を行う側の面部に対して反対側の面部となる底面部とを接続部材を介して相互に接続するステップと、
上記各スピーカ装置の各音声信号入力端子に対してそれぞれ電気接続を図るための各端子部と、上記各端子部を上記各スピーカ装置の各音声信号入力端子にそれぞれ当接させた際に、上記各スピーカ装置の間の間隙部に位置する一対の位置決め用突部とが一体成型されたフレキシブル基板の該各位置決め用突部を、上記各スピーカ装置の間隙部に挿入することで、上記フレキシブル基板の各端子部と上記各スピーカ装置の各音声信号入力端子とをそれぞれ当接させた状態で、該各スピーカ装置にフレキシブル基板を仮止めするステップと、
上記ステップで仮止めされたフレキシブル基板の各端子部を、上記各スピーカ装置の各音声信号入力端子にそれぞれ半田付け処理するステップと
を有するスピーカ装置とフレキシブル基板との接続方法。
【請求項５】
請求項４に記載のスピーカ装置とフレキシブル基板との接続方法であって、
上記フレキシブル基板の各端子部は、それぞれ上記位置決め用突部の突出方向に対して反対の方向に凹んだ凹部を有しており、
上記半田付け処理を行うステップでは、上記フレキシブル基板の各端子部の凹部を介して、該フレキシブル基板の各端子部と上記各スピーカ装置の各音声信号入力端子とをそれぞれ半田付け処理すること
を特徴とするスピーカ装置とフレキシブル基板との接続方法。
【発明の詳細な説明】
【技術分野】
【０００１】
本発明は、例えば携帯電話機、ＰＨＳ電話機（PHS：Personal Handyphone System）、ＰＤＡ装置（PDA：Personal Digital Assistant）、携帯ゲーム機、ノート型のパーソナルコンピュータ装置等の携帯機器に設けられるスピーカ装置に適用して好適なスピーカ装置及びこのスピーカ装置とフレキシブル基板との接続方法に関し、特に、スピーカ装置の側面部に接続端子を設けることで、小さな実装面積で大径のスピーカ装置を設けることを可能としたスピーカ装置、及びこのスピーカ装置に対するフレキシブル基板の接続方法に関する。
【背景技術】
【０００２】
特開２００７−４３４８４号の公開特許公報（特許文献１）に、スピーカ装置用のフレームに対するコンデンサの確実な固定、リード線の接続工程の簡略化、及びリード線の半田付け品質の向上を図ったスピーカ装置が開示されている。
【０００３】
このスピーカ装置の場合、フレームの前面つば部に、それぞれ当該前面つば部から突出する外部接続端を備えた一対の端子金具と、板状の端子金具とを設けている。外部接続端を備えた一対の端子金具のうち、一方の端子金具には、コンデンサのリード線を挿入するための挿入孔が設けられている。また、板状の端子金具にも、上記コンデンサのリード線を挿入するための挿入孔が設けられている。
【０００４】
コンデンサは、フレームの背面側に設けられたコンデンサ収容凹部に収容されるようになっており、このコンデンサ収容凹部にコンデンサを収納することで、該コンデンサの一対のリード線が、外部接続端を備えた一方の端子金具の挿入孔、及び板状の端子金具の挿入孔を介して、それぞれフレームの背面側から前面つば部に突出するようになっている。
【０００５】
組み立ての際は、この外部接続端を備えた一方の端子金具の挿入孔、及び板状の端子金具の挿入孔を介して突出したコンデンサのリード線を、該一方の端子金具、及び板状の端子金具にそれぞれ半田付けする。また、ボイスコイルの一方のリード線を、上記コンデンサのリード線が半田付けされた板状の端子金具に半田付けすると共に、ボイスコイルの一方のリード線を、外部接続端を備えた他方の端子金具（コンデンサのリード線が半田付けされていない方の端子金具）に半田付けする。
【０００６】
これにより、コンデンサの一方のリード線が、外部接続端を備えた一方の端子金具と接続され、コンデンサの他方のリード線が、板状の端子金具を介してボイスコイルの一方のリード線と接続されると共に、ボイスコイルの一方のリード線が外部接続端を備えた他方の端子金具と接続され、当該スピーカ装置が組み立てられることとなる。
【０００７】
このようなスピーカ装置は、フレームの背面側に設けられたコンデンサ収容凹部にコンデンサを収容することで、該フレームに対してコンデンサを固定するようになっているうえ、このコンデンサ収容凹部にコンデンサを収容した際に、外部接続端を備えた一方の端子金具の挿入孔、及び板状の端子金具の挿入孔から突出する該コンデンサの各リード線を半田付けすることで、一方の端子金具及び板状の端子金具に対してコンデンサを固定するようになっているため、一方の端子金具及び板状の端子金具とコンデンサとの半田付け不良を防止したうえで、フレームに対してコンデンサを確実に固定することができる。
【０００８】
また、コンデンサの各リード線及びボイスコイルの各リード線の半田付けは、それぞれフレームの前面側で行うことができるため、コンデンサの各リード線の半田付け及びボイスコイルの各リード線の半田付けを、それぞれ同じ工程内で行うことが可能となり、半田付けの品質の向上と共に、半田付け工程の簡略化を図ることができる。
【０００９】
【特許文献１】特開２００７−４３４８４号公報（第４頁〜５頁、図１，図２）
【発明の開示】
【発明が解決しようとする課題】
【００１０】
しかし、図８に示すように、上述の特許文献１に開示されているスピーカ装置は元より、一般的に、スピーカ装置は、フレーム１００の前面側に各端子金具１０１〜１０３が設けられている。スピーカ機能部１０４の径は、フレーム１００全体の面積から、図８中点線で囲んで示す各端子金具１０１〜１０３を設けるのに必要な面積を差し引き、残った面積内に収まる径に決定される。このため、各端子金具１０１〜１０３をフレーム１００の前面側に設けると、各端子金具１０１〜１０３用の設置面積でスピーカ機能部１０４用の設置面積が浸食される分、小さな径のスピーカ機能部１０４を選択して設置せざるを得ない問題がある。
【００１１】
ここで、携帯電話機に代表される携帯端末装置の小型化及び多機能化は時代と共に進み、より小さな筐体に、液晶表示部、キー操作部、カメラ装置、スピーカ装置、発光部等の多くの部品が設けられるようになっている。筐体の全体的な面積が小さいうえ、この小さな面積内に多くの部品を設ける必要があることから、スピーカ装置の設置のために許される面積も、必然的に小さな面積に制限されることとなる。
【００１２】
一方、近年において、音楽プレーヤ機能を備えた携帯端末装置が広く普及している。この音楽プレーヤ機能を備えた携帯端末装置の場合、主にイヤホン装置を介して音楽を聴取するのであるが、スピーカ装置を介して音響出力を得る使われ方も多くなってきている。このため、このスピーカ装置を介して得る音響出力の音質向上が強く望まれている。スピーカ装置を介して得る音響出力の音質は、スピーカ機能部１０４の径に大きく左右されるため、この音質の向上を図るためには、なるべく大きな径のスピーカ機能部１０４を備えたスピーカ装置を設けることが好ましい。
【００１３】
すなわち、小型化が進む携帯端末装置の筐体内になるべく大きな径のスピーカ機能部１０４を備えたスピーカ装置を設けることで音響出力の音質の向上を図りたいのであるが、従来のスピーカ装置は、フレーム１００の前面側に設けられた各端子金具１０１〜１０３の影響で径の小さなスピーカ機能部１０４を備えたスピーカ装置を選択する必要があり、スピーカ装置の設置用に許される設置面積の割には、スピーカ機能部１０４の径が小さなスピーカ装置を設けざるを得ず、音質の向上を図るのに支障を来していた。
【００１４】
本発明は、上述の課題に鑑みてなされたものであり、筐体内の許される設置面積内に、より大きな径のスピーカ装置を設置可能として音響出力の音質の向上を図ることができるようなスピーカ装置、及びこのスピーカ装置に対するフレキシブル基板の接続方法の提供を目的とする。
【課題を解決するための手段】
【００１５】
本発明に係るスピーカ装置は、上述の課題を解決するための手段として、
放音を行う略円形状の音響出力部を備えたスピーカ機能部と、
上記スピーカ機能部の音響出力部の径よりも若干大きめの略矩形状を有し、埋設される上記スピーカ機能部を支持すると共に、一側面部の両端部を、上記略円形状を有する上記音響出力部の外周部に近接する位置から切り落とすかたちで設けられた一対の切り欠き部を備えたスピーカフレーム部と、
上記スピーカフレーム部の各切り欠き部にそれぞれ設けられた一対の音声信号入力端子と
を有する。
【００１６】
略矩形状のスピーカフレーム部に、略円形状の音響出力部を有するスピーカ機能部を設ける場合、スピーカフレーム部の各辺にそれぞれ近接する径となる音響出力部を有するスピーカ機能部を設けても、該スピーカフレーム部の各端部と、スピーカ機能部の音響出力部の外周部との間に余剰部分が形成される。このため、この余剰部分に相当する、スピーカフレーム部の一側面部の両端部を、略円形状を有する音響出力部の外周部に近接する位置から切り落とすことで一対の切り欠き部を形成し、この各切り欠き部に音声信号入力端子をそれぞれ設ける。
【００１７】
これにより、各音声入力端子を設ける部分（＝上記切り欠き部の箇所）を確保したうえで、スピーカフレーム部一杯の大きさの音響出力部を備えたスピーカ機能部を該スピーカフレーム部に設けることができ、音響出力の音質の向上を図ることができる。
【００１８】
また、本発明に係るスピーカ装置は、上述の課題を解決するための手段として、
放音を行う所定形状の音響出力部を備えたスピーカ機能部と、
埋設される上記スピーカ機能部を支持すると共に、一側面部の両端部を、上記スピーカ機能部の上記音響出力部に近接する位置から切り落とすかたちで設けられた一対の切り欠き部を備えたスピーカフレーム部と、
上記スピーカフレーム部の各切り欠き部にそれぞれ設けられた一対の音声信号入力端子と
を備えた第１のスピーカ装置及び第２のスピーカ装置を有する。
【００１９】
そして、上記第１のスピーカ装置の上記音響出力部の放音を行う側の面部に対して反対側の面部となる底面部と、上記第２のスピーカ装置の上記音響出力部の放音を行う側の面部に対して反対側の面部となる底面部とを接続部材を介して相互に接続することで、上記第１のスピーカ装置及び上記第２のスピーカ装置の放音方向が、それぞれ相反する方向となるように、該第１のスピーカ装置及び第２のスピーカ装置を接続して一体的に形成する。
【００２０】
この本発明に係るスピーカ装置の場合、各切り欠き部に音声信号入力端子を設けることで、スピーカフレーム部一杯の大きさの音響出力部となる第１及び第２のスピーカ装置の底面部同士を接続部材を介して相互に接続することで、上記第１のスピーカ装置及び上記第２のスピーカ装置の放音方向が、それぞれ相反する方向となるように、該第１のスピーカ装置及び第２のスピーカ装置を接続して一体的に形成している。
【００２１】
この本発明の場合、各スピーカ装置は、各音声入力端子を設ける部分（＝上記切り欠き部の箇所）を確保したうえで、スピーカフレーム部一杯の大きさの音響出力部を備えたスピーカ機能部を該スピーカフレーム部に設けて形成されているため、音響出力の音質の向上を図ることができる。また、第１及び第２のスピーカ装置を言わば重ねて一体的に形成しているため、第１及び第２のスピーカ装置を平面上に並べて設置する場合と比較して１／２の設置面積とすることができる。
【００２２】
また、本発明に係るスピーカ装置とフレキシブル基板との接続方法は、上述の課題を解決するための手段として、
放音を行う所定形状の音響出力部を備えたスピーカ機能部と、埋設される上記スピーカ機能部を支持すると共に、一側面部の両端部を、上記スピーカ機能部の上記音響出力部に近接する位置から切り落とすかたちで設けられた一対の切り欠き部を備えたスピーカフレーム部と、上記スピーカフレーム部の各切り欠き部にそれぞれ設けられた一対の音声信号入力端子とをそれぞれ備えた第１のスピーカ装置及び第２のスピーカ装置を、上記第１のスピーカ装置の上記音響出力部の放音を行う側の面部に対して反対側の面部となる底面部と、上記第２のスピーカ装置の上記音響出力部の放音を行う側の面部に対して反対側の面部となる底面部とを接続部材を介して相互に接続するステップと、
上記各スピーカ装置の各音声信号入力端子に対してそれぞれ電気接続を図るための各端子部と、上記各端子部を上記各スピーカ装置の各音声信号入力端子にそれぞれ当接させた際に、上記各スピーカ装置の間の間隙部に位置する一対の位置決め用突部とが一体成型されたフレキシブル基板の該各位置決め用突部を、上記各スピーカ装置の間隙部に挿入することで、上記フレキシブル基板の各端子部と上記各スピーカ装置の各音声信号入力端子とをそれぞれ当接させた状態で、該各スピーカ装置にフレキシブル基板を仮止めするステップと、
上記ステップで仮止めされたフレキシブル基板の各端子部を、上記各スピーカ装置の各音声信号入力端子にそれぞれ半田付け処理するステップと
を有する。
【００２３】
第１及び第２のスピーカ装置の底面部同士を接続した場合、各スピーカ装置の４つの音声信号入力端子にフレキシブル基板の各端子部を、位置ズレを発生することなく正確に半田付け処理することは困難となる。
【００２４】
このため、フレキシブル基板に一対の位置決め用突部を設け、半田付け処理の際、この位置決め用突部を各スピーカ装置の間隙部に挿入することで、フレキシブル基板の各端子部と各スピーカ装置の各音声信号入力端子とをそれぞれ当接させた状態で、該各スピーカ装置にフレキシブル基板を仮止めする。そして、この仮止めされたフレキシブル基板の各端子部を、上記各スピーカ装置の各音声信号入力端子にそれぞれ半田付け処理する。
【００２５】
これにより、第１及び第２のスピーカ装置の各音声信号入力端子にフレキシブル基板の各端子部を、位置ズレを発生することなく正確に半田付け処理することができる。
【発明の効果】
【００２６】
本発明に係るスピーカ装置は、筐体内の許される設置面積内に、より大きな径のスピーカ装置を設置可能として音響出力の音質の向上を図ることができる。
【００２７】
また、本発明に係るスピーカ装置とフレキシブル基板との接続方法は、第１及び第２のスピーカ装置の各音声信号入力端子にフレキシブル基板の各端子部を、位置ズレを発生することなく正確に半田付け処理することができる。
【発明を実施するための最良の形態】
【００２８】
本発明は、携帯電話機のスピーカ装置に適用することができる。
【００２９】
［携帯電話機の外観構成］
まず、本発明が適用される実施の形態となるスピーカ装置が設けられた携帯電話機の正面図を図１（ａ）に、当該携帯電話機を長手方向に沿って切断した状態の切断面を示す断面図を図１（ｂ）に示す。一例ではあるが、この携帯電話機は、全長×横幅×厚さが１０３ｍｍ×４６．５ｍｍ×７．８ｍｍの小型化及び薄型化された、いわゆるストレート型（＝スティック型）の携帯電話機となっている。
【００３０】
筐体１の正面部１ａには、長手方向に沿って上から順に表示部２及び操作部３が設けられており、筐体１の底面部１ｂと操作部３との間には、送話用のマイクロホン部４が設けられている。また、筐体１の上面部１ｃと表示部２の上端部２ａとの間には、筐体１の短手方向に沿って左から順に、第１のカメラ装置５、スピーカ装置６、及び第２のカメラ装置７が設けられている。
【００３１】
第１のカメラ装置５は、例えば通話相手の携帯電話機との間で互いに音声及び画像を送受信するテレビ電話通話を行う際に当該携帯電話機を使用しているユーザを撮像するためのカメラ装置（いわゆる、自分撮り用のカメラ装置）となっている。また、第２のカメラ装置７は、主に所望の被写体を撮像するためのカメラ装置となっている。
【００３２】
スピーカ装置６は、図１（ｂ）に示すように第１のスピーカ装置１１及び第２のスピーカ装置１２の底面部（放音を行う音響出力部の反対側の面部）同士を接続した全体形状を有している。一例ではあるが、第１のスピーカ装置１１及び第２のスピーカ装置１２は、それぞれ３．９ｍｍの高さを有する８Ωのダイナミックスピーカ装置となっている。
【００３３】
筐体１の上面部１ｃと表示部２の上端部２ａとの間には、図１（ａ）中、点線で囲んで示すように、１０ｍｍ四方のスピーカ収納部８が設けられている。このスピーカ収納部８に、第１のスピーカ装置１１の放音を行う音響出力部は筐体１の正面部１ａ側に向くように、また、第２のスピーカ装置１２の放音を行う音響出力部は筐体１の背面部１ｄ側に向くように、各底面部同士が接続された第１のスピーカ装置１１及び第２のスピーカ装置１２が収納されるようになっている。
【００３４】
このスピーカ収納部８に収納された第１のスピーカ装置１１及び第２のスピーカ装置１２のうち、第２のスピーカ装置１２は、例えば音楽、動画像の音声、ラジオ音声、テレビジョン音声、発着信音等の音響出力を得るための外部出力専用のスピーカ装置となっている。
【００３５】
これに対して、放音を行う音響出力部が筐体１の正面部１ａ側に向くようにスピーカ収納部８に収納された第１のスピーカ装置１１は、上記音楽等の音響出力を得るためのスピーカ装置と、音声通話時及びテレビ電話通話時に受話音声を得るためのスピーカ装置とを兼用するスピーカ装置となっている。
【００３６】
すなわち、音楽等の音響出力を得る場合には、上記第１及び第２のスピーカ装置１１，１２が共に出力制御され、該各スピーカ装置１１，１２を介して該音楽等の音響出力を得るようになっている。また、受話音声を得る場合には、上記第１のスピーカ装置１１のみが出力制御され、該第１のスピーカ装置１１のみを介して該受話音声の音響出力を得るようになっている。
【００３７】
なお、この携帯電話機の制御部は、第１のスピーカ装置１１を外部出力用のスピーカ装置として用いる場合には、第２のスピーカ装置１２と同様の利得で増幅した音声信号を該第１のスピーカ装置１１に供給し、第１のスピーカ装置１１を通話時の受話音声を得るスピーカ装置として用いる場合には、当該受話音声を受話に適した音量とする利得で増幅した受話音声を該第１のスピーカ装置１１に供給する音量調整制御を行うことで、該第１のスピーカ装置１１を、外部出力用のスピーカ装置及び受話音声用のスピーカ装置として使い分けるようになっている。
【００３８】
〔スピーカ装置の詳細な構成〕
図２に、スピーカ装置６の斜視図を示す。この図２からもわかるように、スピーカ装置６は、第１のスピーカ装置１１及び第２のスピーカ装置１２の各底面部同士を、例えば両面テープ等の接着部材２０を介して接続した全体形状を有している。
【００３９】
各スピーカ装置１１，１２は、スピーカフレーム部２１に、放音を行う略円形状の音響出力部２２を備えたスピーカ機能部２３を埋設して形成されている。スピーカフレーム部２１は、スピーカ機能部２３の音響出力部２２の径よりも若干大きめとなる略矩形状の全体形状を有しており、埋設されたスピーカ機能部２３を支持している。また、スピーカフレーム部２１は、一側面部２４の両端部を、略円形状を有する上記音響出力部２２の外周部に近接する位置からそれぞれ切り落とすかたちで設けられた一対の切り欠き部２５を有している。各切り欠き部２５には、当該第１のスピーカ装置１１に音声信号を供給するための音声信号入力端子２６が、上記各切り欠き部２５における上記一側面部２４に対して平行となる面部にそれぞれ設けられている。
【００４０】
すなわち、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に余剰部分が形成される。このため、この余剰部分に相当する、スピーカフレーム部２１の一側面部２４の両端部を、上記音響出力部２２の外周部に近接する位置から切り落とすことで一対の切り欠き部２５を形成し、この各切り欠き部２５に音声信号入力端子２６をそれぞれ設けている。これにより、各音声入力端子２６を設ける部分（＝上記切り欠き部２５の部分）を確保したうえで、スピーカフレーム部２１一杯の大きさの音響出力部２２を備えたスピーカ機能部２３を該スピーカフレーム部２１に設けることが可能となっている。
【００４１】
〔スピーカ装置の機能〕
図３に、各スピーカ装置１１，１２の正面図（音響出力部２２が設けられる面部側から見た図）を示す。この図３中、点線は、スピーカフレーム部２１の前面部（音響出力部２２が設けられる側の面部）に音声入力端子を設けた場合における該音声入力端子の設置面積と、この場合に選択可能な音響出力部の径を示している。また、この図３中、太線は、スピーカフレーム部２１に、実際に設けられた音響出力部２２の径を示している。
【００４２】
この図３からわかるように、スピーカフレーム部２１の前面部に音声入力端子を設けた場合、音声入力端子の設置面積で音響出力部の設置面積が浸食されることで、スピーカフレーム部２１の大きさよりも、かなり小さな径の音響出力部となる不都合を生ずる。
【００４３】
これに対して、当該実施の形態のスピーカ装置６の場合、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に形成される余剰部分に、上記一対の切り欠き部２５を形成し、この各切り欠き部２５に音声信号入力端子２６をそれぞれ設けている。
【００４４】
このため、各音声入力端子２６を設ける部分（＝上記切り欠き部２５の部分）を確保したうえで、図３中、太線で示すようにスピーカフレーム部２１一杯の大きさの径の音響出力部２２を備えたスピーカ機能部２３を該スピーカフレーム部２１に設けることができる（図３における点線の径と太線の径を比較参照のこと。）。従って、大きな径の音響出力部２２を備えたスピーカ機能部２３を設けることができることから、各スピーカ装置１１，１２をそれぞれ介して高音質の音響出力を得ることを可能とすることができる。
【００４５】
また、第１及び第２のスピーカ装置１１，１２を、筐体１の短手方向に並べて設置すると、スピーカ装置６全体の設置面積として、第１のスピーカ装置１１の設置面積と第２のスピーカ装置１２の設置面積とを加算した設置面積が必要となるが、当該実施の形態のスピーカ装置６は、主に図２を用いて説明したように、第１及び第２のスピーカ装置１１，１２の各底面部同士を接着部材２０を介して接続して形成されており、図１（ａ），（ｂ）に示すように第１のスピーカ装置１１の放音方向が当該携帯電話機の筐体１の正面部１ａ側を向くように、また、第２のスピーカ装置１２の放音方向が当該携帯電話機の筐体１の背面部１ｂ側を向くように、該筐体１内のスピーカ収納部８に重ねて設置されている。このため、第１及び第２のスピーカ装置１１，１２を上記並べて設置した場合と比較して１／２の設置面積で、当該スピーカ装置６を筐体１に設置可能とすることができる。
【００４６】
［スピーカ装置とフレキシブル基板の接続工程］
次に、図４（ａ）に第１及び第２のスピーカ装置１１，１２の各底面部同士を接着部材２０を介して相互に接続して形成されるスピーカ装置６を一側面部２４側（＝各音声信号入力端子２５が設けられている面部側）から見た図を示す。この図４（ａ）からわかるように、第１及び第２のスピーカ装置１１，１２を前述のように相互に接続すると、各スピーカ装置１１，１２の各対の音声信号入力端子２５が上下に並ぶようになる。そして、この各音声信号入力端子２５に対して、フレキシブル基板に設けられた４つの端子部がそれぞれ半田付け処理されるようになっている。
【００４７】
しかし、この半田付け処理は、手作業により、一つの端子部毎に順次行うこととなるため、半田付け処理の位置ズレを発生することなく、全４つの端子部を正確に半田付け処理することは大変困難となる。
【００４８】
このため、当該実施の形態のスピーカ装置６に対しては、図４（ｂ）に示す特殊形状のフレキシブル基板３０（ＦＰＣ）を半田付け処理することで、前述の位置ズレを防止するようになっている。
【００４９】
具体的に説明すると、この図４（ｂ）は、上記スピーカ装置６の各音声信号入力端子２５に接続するフレキシブル基板３０の端子部の部分を図示した図である。この図４（ｂ）からわかるように、フレキシブル基板３０は、各スピーカ装置１１，１２の横幅（＝一対の音声信号入力端子２５の設置間隔）と略等間隔で設けられた長板状の一対のアーム部３１を有している。
【００５０】
各アーム部３１は、図４（ａ）に示すように、底面部同士を接続した各スピーカ装置１１，１２の一側面部２４の間に形成される間隙部４０に挿入するための位置決め用突部３２をそれぞれ有している。また、各アーム部３１は、各位置決め用突部３２を上記間隙部４０に挿入した状態で、各スピーカ装置１１，１２の各音声信号入力端子２５に当接する位置に、それぞれ端子部３３を有している。各アーム部３１の各端子部３３には、当該アーム部３１の一部を切り欠くようにして半田付けし処理用の孔部３４がそれぞれ設けられている。
【００５１】
このようなフレキシブル基板３０の半田付け処理を行う場合、まず、上述のように各スピーカ装置１１，１２の底面部同士を接着部材２０を介して相互に接続することでスピーカ装置６を形成する。
【００５２】
次に、このように接続した各スピーカ装置１１，１２の一側面部２４の間に形成される間隙部４０に、図５に示すようにフレキシブル基板３０の各位置決め用突部３２を挿入する。これにより、フレキシブル基板３０の各アーム部３１に設けられている各端子部３３が、各スピーカ装置１１，１２の各音声信号入力端子２５に当接した状態で、各スピーカ装置１１，１２に対してフレキシブル基板３０が位置決め（仮止め）されることとなる。なお、この図５は、上記仮止めされた状態のフレキシブル基板３０を太線で示している。
【００５３】
次に、このように仮止めされた状態のフレキシブル基板３０の各端子部３３の各孔部３４の部分を介して、該各端子部３３と各スピーカ装置１１，１２の各音声信号入力端子を手作業で半田付け処理する。
【００５４】
フレキシブル基板３０には、一対の位置決め用突部３２が設けられており、半田付け処理の際に、この位置決め用突部３２を各スピーカ装置１１，１２の間の間隙部４０に挿入することで、フレキシブル基板３０の各端子部３３と各スピーカ装置１１，１２の各音声信号入力端子２５とをそれぞれ当接させた状態で、該各スピーカ装置１１，１２にフレキシブル基板３０を仮止めしている。そして、この仮止めしたフレキシブル基板３０の各端子部３３を、各スピーカ装置１１，１２の各音声信号入力端子２５にそれぞれ半田付け処理する。これにより、第１及び第２のスピーカ装置１１，１２の各音声信号入力端子２５にフレキシブル基板３０の各端子部３３を、正確に位置合わせした状態で位置ズレを発生することなく半田付け処理を行うことができる。
【００５５】
〔スピーカ装置の収納工程〕
次に、このようにフレキシブル基板３０が半田付け処理されたスピーカ装置６は、該フレキシブル基板３０が適宜、折曲加工されて、図１（ａ），（ｂ）に示したスピーカ収納部８に収納される。図６（ａ）に、スピーカ収納部８に収納された状態のスピーカ装置６を側面部側から見た図を、図６（ｂ）に、スピーカ収納部８に収納された状態のスピーカ装置６を上面側から見た図を、図７に、スピーカ収納部８に収納された状態のスピーカ装置６の斜視図をそれぞれ示す。なお、この図６（ａ），（ｂ）及び図７においては、フレキシブル基板３０を太線で図示している。
【００５６】
スピーカ装置６をスピーカ収納部８に収納する場合、主に図６（ａ）に示すようにフレキシブル基板３０が半田付け処理された状態のスピーカ装置６を、第１のスピーカ装置１１からスピーカ収納部８に収納する（＝第１のスピーカ装置１１を下にしてスピーカ収納部８に収納する。）。これにより、スピーカ収納部８に収納されたスピーカ装置６に半田付け処理されているフレキシブル基板３０が、該スピーカ収納部８から突出して起立した状態となる。
【００５７】
次に、この起立しているフレキシブル基板３０を、各アーム部３１を介して、図６（ａ）及び図７に示すように、スピーカ収納部８に収納したスピーカ装置６の収納方向に折曲加工する。これにより、スピーカ収納部８から突出して起立した状態となっていたフレキシブル基板３０は、スピーカ装置６の収納方向に沿って延設された状態となる。
【００５８】
次に、このスピーカ装置６の収納方向に沿って延設された状態となっているフレキシブル基板３０を、図６（ａ）及び図７に示すように、スピーカ収納部８に収納したスピーカ装置６の第１のスピーカ装置１１に沿う方向に、再度、折曲加工する。そして、このようにフレキシブル基板３０を第１のスピーカ装置１１に沿う方向に折曲加工した状態で、筐体１内に組み込む。
【００５９】
これにより、図６（ａ），（ｂ）に示すようにスフレキシブル基板３０の、スピーカ収納部８に収納したスピーカ装置６の収納方向に折曲加工された部分が、スピーカ収納部８と筐体１の上面部１ｃとの間に挟持されるかたちで、該スピーカ装置６及び当該スピーカ装置６に半田付け処理されたフレキシブル基板３０が、当該携帯電話機の筐体１内に収納されることとなる。
【００６０】
［実施の形態の効果］
以上の説明から明らかなように、この実施の形態のスピーカ装置６は、略矩形状のスピーカフレーム部２１に、略円形状の音響出力部２２を有するスピーカ機能部２３を設けることで、該スピーカフレーム部２１の各端部２５と、スピーカ機能部２３の音響出力部２２の外周部との間に形成される余剰部分に一対の切り欠き部２５を形成し、この各切り欠き部２５に音声信号入力端子２６をそれぞれ設けている。
【００６１】
このため、各音声入力端子２６を設ける部分（＝上記切り欠き部２５の部分）を確保したうえで、スピーカフレーム部２１一杯の大きさの径の音響出力部２２を備えたスピーカ機能部２３を該スピーカフレーム部２１に設けることができる。従って、大きな径の音響出力部２２を備えたスピーカ機能部２３を設けることができることから、各スピーカ装置１１，１２をそれぞれ介して高音質の音響出力を得ることを可能とすることができる。
【００６２】
また、第１及び第２のスピーカ装置１１，１２を、筐体１の短手方向に並べて設置すると、スピーカ装置６全体の設置面積として、第１のスピーカ装置１１の設置面積と第２のスピーカ装置１２の設置面積とを加算した設置面積が必要となるが、当該実施の形態のスピーカ装置６は、第１及び第２のスピーカ装置１１，１２の各底面部同士を接着部材２０を介して接続して形成されており、第１のスピーカ装置１１の放音方向が当該携帯電話機の筐体１の正面部１ａ側を向くように、また、第２のスピーカ装置１２の放音方向が当該携帯電話機の筐体１の背面部１ｂ側を向くように、該筐体１内のスピーカ収納部８に重ねて設置されている。このため、第１及び第２のスピーカ装置１１，１２を上記並べて設置した場合と比較して１／２の設置面積で、当該スピーカ装置６を筐体１に設置可能とすることができる。
【００６３】
また、このスピーカ装置６とフレキシブル基板３０とを接続するに際して、フレキシブル基板３０に一対の位置決め用突部３２を設け、この位置決め用突部３２を各スピーカ装置１１，１２の間の間隙部４０に挿入することで、フレキシブル基板３０の各端子部３３と各スピーカ装置１１，１２の各音声信号入力端子２５とをそれぞれ当接させた状態で、該各スピーカ装置１１，１２にフレキシブル基板３０を仮止めする。そして、この仮止めしたフレキシブル基板３０の各端子部３３を、各スピーカ装置１１，１２の各音声信号入力端子２５にそれぞれ半田付け処理する。これにより、第１及び第２のスピーカ装置１１，１２の各音声信号入力端子２５にフレキシブル基板３０の各端子部３３を、正確に位置合わせした状態で位置ズレを発生することなく半田付け処理を行うことができる。
【００６４】
［変形例］
上述の実施の形態は、本発明を携帯電話機のスピーカ装置に適用した例であったが、本発明は、この携帯電話機のスピーカ装置の他、ＰＨＳ電話機（PHS：Personal Handyphone System）、ＰＤＡ装置（PDA：Personal Digital Assistant）、ノート型のパーソナルコンピュータ装置、携帯ゲーム機等の携帯機器のスピーカ装置に適用してもよい。いずれの場合でも、上述と同じ効果を得ることができる。
【００６５】
最後に、上述の実施の形態の説明は、本発明の一例である。このため、本発明は上述の実施の形態に限定されることはなく、本発明に係る技術的思想を逸脱しない範囲であれば、設計等に応じて種々の変更が可能であることは勿論であることを付け加えておく。
【図面の簡単な説明】
【００６６】
【図１】本発明を適用した実施の形態となるスピーカ装置が設けられた携帯電話機の外観及びスピーカ装置の収納位置を示す図である。
【図２】実施の形態のスピーカ装置の斜視図である。
【図３】実施の形態のスピーカ装置の上面図である。
【図４】実施の形態のスピーカ装置の背面、及びこのスピーカ装置に半田付け処理されるフレキシブル基板を示す図である。
【図５】実施の形態のスピーカ装置に仮止めされた状態のフレキシブル基板を示す図である。
【図６】携帯電話機の筐体に対する、実施の形態のスピーカ装置、及びこのスピーカ装置に半田付け処理されたフレキシブル基板の収納状態を示す図である。
【図７】実施の形態のスピーカ装置に半田付け処理されたフレキシブル基板の斜視図である。
【図８】従来のスピーカ装置の端子金具が設けられる位置を説明するための図である。
【符号の説明】
【００６７】
１  携帯電話機の筐体、１ａ  携帯電話機の筐体の正面部、１ｂ  携帯電話機の筐体の底面部、１ｃ  携帯電話機の筐体の上面部、１ｄ  携帯電話機の筐体の背面部、２  携帯電話機の表示部、３  携帯電話機の操作部、４  携帯電話機のマイクロホン部、５  自分撮り用の第１のカメラ部、６  スピーカ装置、７  第２のカメラ部、８  スピーカ収納部、１１  第１のスピーカ装置、１２  第２のスピーカ装置、２０  第１及び第２のスピーカ装置の接着部材、２１  スピーカフレーム部、２２  音響出力部、２３  スピーカ機能部、２４  スピーカ装置の一側面部、２５  切り欠き部、２６  切り欠き部に設けられた音声信号入力端子、３０  フレキシブル基板、３１  フレキシブル基板のアーム部、３２  フレキシブル基板の位置決め用突部、３３  フレキシブル基板の端子部、３４  フレキシブル基板の半田付けし処理用の孔部、４０  第１及び第２のスピーカ装置の間隙部
【図１】
2009060434.tif 000003
【図２】
2009060434.tif 000004
【図３】
2009060434.tif 000005
【図４】
2009060434.tif 000006
【図５】
2009060434.tif 000007
【図６】
2009060434.tif 000008
【図７】
2009060434.tif 000009
【図８】
2009060434.tif 000010